(57)【要約】【課題】確実な防水機能をもたせることが可能なコンセントを提供する。【解決手段】コンセント１０は、本体１１、コンセントユニット１２、カバー１３を有し、本体１１は、少なくとも下面が開放された箱体からなる。コンセントユニット１２は、下方に向かって形成された挿入口１２ａと、挿入口から挿入されたプラグＰの栓刃Ｐ１が接続される刃受け金具１２ｂを有し、挿入口が本体の開放された下面に臨んで本体内に配設される。カバー１３は、挿入口を覆う閉位置と挿入口を開放する開位置との間で本体に対してスライド可能となるように設けられ、閉位置のときに略鉛直方向に位置して突出する操作摘み１３ｄが形成されている。【選択図】        図１
2012084373.tif 000002
【特許請求の範囲】
【請求項１】
少なくとも下面が開放された箱体からなる本体と；
下方に向かって形成された挿入口と、挿入口から挿入されたプラグの栓刃が接続される刃受け金具を有し、挿入口が本体の開放された下面に臨んで本体内に配設されるコンセントユニットと；
挿入口を覆う閉位置と挿入口を開放する開位置との間で本体に対してスライド可能となるように設けられ、閉位置のときに略鉛直方向に位置して突出する操作摘みを形成したカバーと；
を具備していることを特徴とするコンセント。
【請求項２】
前記カバーは、バネ部材により開位置で閉位置方向に付勢された状態にあることを特徴とする請求項１に記載のコンセント。
【発明の詳細な説明】
【技術分野】
【０００１】
本発明の実施形態は、屋外等に設置されるコンセントに関する。
【背景技術】
【０００２】
近年では、電気自動車用の充電スタンドが設置されるようになってきている。また、一般家庭においても電動式の自転車が普及し、商用電源から電動式の自転車に充電できるようになっている。これら充電スタンドや一般家庭での充電にはプラグが接続可能なコンセントが屋外に設けられることから、雨水や塵埃等からコンセントを保護する必要があり、コンセントにカバーを設けたカバー付コンセントが使用されている。
【先行技術文献】
【特許文献】
【０００３】
【特許文献１】特開２００６−２４４７１９号公報
【特許文献２】特開２００５−２５９４１１号公報
【発明の概要】
【発明が解決しようとする課題】
【０００４】
この種のカバー付コンセントは、プラグが接続されていない不使用時にはプラグの挿入口がカバーによって覆われているが、充電時等にプラグを差し込んだ状態ではカバーが開放され挿入口が開放された状態となる。このため、特に降雨時などにおいて、例えば横方向からの水の侵入に対しては防ぎきれない可能性があり、より確実な防水機能をもたせたコンセントを如何にして構成するかが課題となっている。
【０００５】
本発明は、上記の課題に鑑みなされたもので、確実な防水機能をもたせることが可能なコンセントを提供しようとするものである。
【課題を解決するための手段】
【０００６】
本発明の実施形態におけるコンセントは、本体、コンセントユニット、カバーを有し、本体は、少なくとも下面が開放された箱体からなる。コンセントユニットは、下方に向かって形成された挿入口と、挿入口から挿入されたプラグの栓刃が接続される刃受け金具を有し、挿入口が本体の開放された下面に臨んで本体内に配設される。カバーは、挿入口を覆う閉位置と挿入口を開放する開位置との間で本体に対してスライド可能となるように設けられ、閉位置のときに略鉛直方向に位置して突出する操作摘みが形成されている。
【発明の効果】
【０００７】
本実施形態によれば、確実な防水機能をもたせることが可能なコンセントを提供することができる。
【図面の簡単な説明】
【０００８】
【図１】本発明の実施形態であるコンセントを壁面に設置した状態を示す縦断面図。
【図２】同じくコンセントを分解して示す斜視図。
【図３】同じくコンセントの側面部分を、一部を切り欠いて示す斜視図。
【図４】同じくコンセントを示し、（ａ）はカバーが閉位置の状態を示す斜視図、（ｂ）はカバーが開位置の状態を示す斜視図。
【図５】同じくコンセントを示し、（ａ）は正面図、（ｂ）は側面図、（ｃ）は上面図。
【図６】同じくコンセントを壁面に設置した状態を示し、（ａ）はカバーが閉位置の状態を示す縦断面図、（ｂ）はカバーが開位置の状態を示す縦断面図、（ｃ）はプラグを差し込んだ状態を示す縦断面図。
【図７】同じくコンセントの変形例を示し、側面部分の一部を切り欠いて示す斜視図。
【発明を実施するための形態】
【０００９】
以下、本発明の実施形態について図に従い説明する。
【実施形態１】
【００１０】
本実施形態は、主として電気自動車を充電するために屋外に設置される２００Ｖ仕様の屋外設置用のコンセント１０を構成するもので、図１に示すように、下面が開放された箱体からなる本体１１、挿入口１２ａから挿入されたプラグＰの栓刃Ｐ１が接続される刃受け金具１２ｂを有し、本体内に配設されるコンセントユニット１２、本体に対してスライド可能となるように設けられるカバー１３で構成する。
【００１１】
本体１１は、図２に示すように、箱体からなるケース体１１ａと、ケース体の両側面に設けられる一対の内カバー１１ｂ、１１ｂと、内カバーを覆うようにケース体１１ａの両側面に設けられる一対の側面板１１ｃ、１１ｃで構成される。
【００１２】
ケース体１１ａは、両側面１１ａ１の一辺が円弧状をなす略三角形状の扇形で、前面１１ａ２が両側面の円弧に沿った曲面をなし、下面１１ａ３が開放され、背面全体が開放された箱体をなすように構成される。前面１１ａ２は、２重壁構成になっており、前面板１１ａ４が隙間ａを有して外側に面している。この隙間に対して後述するカバー１３の前面板１３ｂが挿入されガイドされて本体内に収納される。さらに箱体の下面１１ａ３に連続した下方には、プラグＰを係合するためのロック部１４が支持される支持部１１ａ５が一体に下方に突出して形成される。
【００１３】
なお、ケース体１１ａは、背面全体が開放された箱体をなして構成したが、背面は電源線を通すための挿通孔程度が形成されて閉塞されたものであってもよく、本体１１は少なくとも下面が開放された箱体をなしていればよい。これら構成のケース体１１ａは電気絶縁性を有する合成樹脂で一体に形成される。
【００１４】
内カバー１１ｂ、１１ｂは、ケース体１１ａの両側面１１ａ１と同様に一辺が円弧状をなす略三角形状の扇形で、円弧の直径がケース体１１ａの両側面の円弧の直径と略同様に形成され、この円弧の端面がカバー１３の前面板１３ｂをスライドするためのガイドレールの役目をなすように構成する。内カバー１１ｂ、１１ｂは、ケース体１１ａの両側面１１ａ１にネジｓ１によって固着される。内カバー１１ｂ、１１ｂは電気絶縁性を有する合成樹脂で一体に形成される。
【００１５】
側面板１１ｃ、１１ｃは、ケース体１１ａの両側面１１ａ１と同様に一辺が円弧状をなす略三角形状の扇形をなし、円弧の直径がケース体１１ａの両側面の円弧の直径、すなわち、内カバー１１ｂ、１１ｂの円弧の直径より大きく形成され、ケース体１１ａの両側面１１ａ１を覆うように、すなわち、ケース体１１ａの両側面１１ａ１に固着された内カバー１１ｂ、１１ｂを覆うようにケース体１１ａの扇形の両側面に設けられる。
【００１６】
そして、小径の内カバー１１ｂ、１１ｂの円弧と大径の側面板１１ｃ、１１ｃ内面の円弧との間に形成される円弧をなす隙間ｂを形成する（図３）。この隙間ｂには、カバー１３の前面板１３ｂの両端部が挿入されガイドされて収納される。さらに、側面板１１ｃ、１１ｃの内面と内カバー１１ｂ、１１ｂの内面との間に、隙間ｃを形成する。この隙間ｃは、カバー１３の両側面１３ａが挿入されガイドされて収納される。側面板１１ｃ、１１ｃの内面には、略半円形をなす軸部１１ｃ１を一体に突出させて形成する。この軸部にはカバー１３の軸受部１３ｃが嵌合されて、カバーが側面板１１ｃ、１１ｃの軸部１１ｃ１を中心にして所定角度にわたって回動される。
【００１７】
そして、上記構成の隙間ａ、ｂに、カバー１３の前面板１３ｂが挿入されてガイドされ、隙間ｃに対してカバー１３の両側面１３ａが挿入されてガイドされ、カバー１３が本体１１内に収納される。また、側面板１１ｃ、１１ｃには、ケース体１１ａの下方に形成された支持部１１ａ５を覆うカバー部１１ｃ２を一体に形成する。これら構成の側面板１１ｃ、１１ｃは、電気絶縁性を有する合成樹脂で一体に形成され、ネジｓ１によって内カバー１１ｂ、１１ｂとともにケース体１１ａの両側面１１ａ１に対して固着される。
【００１８】
次に、コンセントユニット１２は、電気絶縁性を有する合成樹脂で箱体をなすように一体に構成され、図１に示すように、箱体の下面に下方に向かって挿入口１２ａが形成され、箱体内部に刃受け金具１２ｂが内蔵され、挿入口１２ａから挿入されたプラグＰの栓刃Ｐ１が刃受け金具１２ｂに電気的に接続される。そして、箱体の下面の挿入口１２ａが本体１１の開放された下面１１ａ３に臨んでケース体１１ａ内に配設される。本実施形態において、挿入口１２ａは、電源用の一対の挿入口と、アース用の１個の挿入口で構成され、刃受け金具１２ｂも電源用の一対の刃受け金具と、アース用の刃受け金具で構成されている。刃受け金具１２ｂには、電源線（図示せず）が接続される。
【００１９】
カバー１３は、図２に示すように、両側面１３ａと前面板１３ｂからなり、両側面１３ａは、ケース体１１ａの両側面１１ａ１と同様に一辺が円弧状をなす略三角形状の扇形で、円弧の直径が本体１１の円弧状の隙間ａ、隙間ｂ内に挿入される大きさに形成する。また、板厚は隙間ｃに挿入できる厚さに構成する。そして、扇の中心部となる位置に略半円形に切り欠いて形成した軸受部１３ｃを一体に形成する。
【００２０】
前面板１３ｂは、両側面１３ａの円弧部分を覆うように一体に形成され、前面が両側面の円弧に沿った曲面をなすように形成される。そして、カバー１３の前面板１３ｂを円弧状の隙間ａ、隙間ｂに挿入し、カバーの両側面１３ａを隙間ｃに挿入し、カバーの軸受部１３ｃを側面板１１ｃ、１１ｃの軸部１１ｃ１に嵌合する。
【００２１】
これにより、カバー１３が側面板１１ｃ、１１ｃの軸部１１ｃ１を中心にして回動され、カバーの前面板１３ｂが隙間ａ、隙間ｂによって、また両側面１３ａが隙間ｃによってガイドされ所定角度、本実施形態では、約６０°にわたって回動される。上記構成により、カバー１３は、コンセントユニット１２の挿入口１２ａを覆う閉位置（図６（ａ））と、挿入口１２ａを開放する開位置（図６（ｂ））との間でスライド可能となるように設けられ、開位置において本体１１内部、すなわち、隙間ａ、ｂ、ｃ内に収納される。
【００２２】
また、カバー１３は、図１に示すように、その前面板１３ｂの下端、すなわち、閉位置のときに鉛直方向に位置して突出する操作摘み１３ｄを一体に形成する。この操作摘み１３ｄは、前面板１３ｂの幅方向一杯に形成し、樋と水切りとしての作用をなすように構成する。これら構成のカバー１３は、電気絶縁性を有する合成樹脂で一体に形成される。
【００２３】
また、ケース体１１ａの支持部１１ａ５には、下方から挿入口１２ａに挿入され刃受け金具１２ｂに接続されたプラグＰを本体１１に係合し、抜け止めの作用をなすロック部１４が設けられる。ロック部は、図１、図２に示すように、鉤状の係合爪１４ａを一体に形成した合成樹脂からなるロック板１４ｂと、ロック板を常時突出させる方向に付勢する一対のスプリング１４ｃと、スプリングを抑えるための合成樹脂からなる抑え板１４ｄで構成する。ロック板１４ｂは、中央部に係合爪１４ａが、左右にロック解除ボタン１４ａ１が一体に形成されている（図４（ｂ））。
【００２４】
そして、ロック板１４ｂをケース体１１ａの支持部１１ａ５に形成された開口部１１ａ６に臨ませ、ロック板１４ｂの裏面と抑え板１４ｄとの間にスプリング１４ｃを介在させ、抑え板を開口部１１ａ６の内面にネジｓ２によって固着することによってロック部１４を構成する。この状態で、係合爪１４ａが開口部１１ａ６からケース体１１ａの下面１１ａ３に臨むように（図４（ｂ））、すなわち、下方から挿入されたプラグＰに対して係合爪１４ａが係合できるように構成される。なお、ロック板１４ｂの左右いずれかの解除ボタン１４ａ１を押すことによって、係合爪１４ａが引っ込みプラグＰとの係合状態が解除される。
【００２５】
次に、上記に構成されたコンセント１０の作動につき説明する。上記に構成されたコンセント１０は、図６に示すように、一般家庭の建物における外壁に対し、本体１１が鉛直方向になるように、すなわち、ケース体１１ａの下面１１ａ３が下方に面するようにして設置する。設置は、裏面枠１５、パンキングを有するサポート１６（図２）を介して外壁の設置孔に設置され、コンセントの刃受け金具１２ｂに対して常時２００Ｖの電源が供給されるように電気配線がなされる。
【００２６】
そして、電気自動車を充電する場合には、図６（ａ）の状態から、図６（ｂ）に示すように、カバー１３の操作摘み１３ｄを摘んで開放する。この際、カバー１３は、本体１１の円弧状の隙間ａ、ｂ、ｃに沿ってガイドされスライドしながら隙間内、すなわち、本体１１内に収納される。これにより、カバー１３が、コンセントユニット１２の挿入口１２ａを開放した開位置に設置される。
【００２７】
この状態で図６（ｃ）に示すように、プラグＰを本体１１の下方から挿入し、下面１１ａ３に面する挿入口１２ａに下方から差し込み充電を開始する。この際、プラグＰの下面にはロック用の係合溝Ｐ２が一体に形成されており、ケース体１１ａの下面１１ａ３に臨むように設けられたロック部１４の係合爪１４ａに係合される。これにより、不用意にプラグＰがコンセント１０から抜けないように保持される。
【００２８】
同時に、図６（ｃ）に示すように、カバー１３の操作摘み１３ｄを離すことによって、カバー１３が自重によって何ら操作をせずに自動的に下方、すなわち、閉位置に向かってスライドし、差し込まれたプラグＰの上面に当接して停止する。なお、図６において、（ｂ）図に示すプラグＰは、（ｃ）図に示すプラグＰに対して若干回動した状態のものである。  
【００２９】
これにより、プラグＰを差し込んだ状態、すなわち、コンセントの使用中において、プラグＰの上面および栓刃Ｐ１側の両側面側が、閉位置に向かってスライドしたカバー１３の前面板１３ｂおよび両側面１３ａによって覆われ、上方からの雨水および横方向からの雨水に対してプラグの栓刃が挿入されたコンセントの挿入口近辺、すなわち、電気接続部への雨水の侵入を防ぐことが可能となる。
【００３０】
特に、上方からの雨水に対しては、カバー１３の幅一杯に形成された操作摘み１３ｄが樋と水切りの作用をなし、コンセントの挿入口近辺への雨水の侵入を防ぐことが可能となる。同時に、この状態でカバー１３は、本体１１の円弧状の隙間ａ、ｂ、ｃに沿ってガイドされスライドしながら隙間内、すなわち、本体１１内に収納されるので、カバー１３が殆んど外面に露出していない。このため、カバー１３を伝わる雨水の本体１１内への侵入も防ぐことが可能になる。因みに、２重壁からなる隙間ａ、ｂ、ｃにカバー１３が挿入されずに外面に露出していた場合には、カバー１３に雨水が直接当たり、カバー１３をスライドさせるための隙間から雨水が浸入する虞がある。
【００３１】
次に充電が終了した状態で、プラグＰをコンセント１０の挿入口１２ａから引き抜く。この操作によって、図６（ａ）に示すように、カバー１３が自重によって、何ら操作をせずに自動的に下方、すなわち、閉位置に向かってスライドしてケース体１１ａの支持部１１ａ５の前面側に当接して停止する。この際、カバー１３は、本体１１の円弧状の隙間ａ、ｂ、ｃに沿ってガイドされスライドしながら引き出される。これにより、カバー１３が、コンセントユニット１２の挿入口１２ａを覆う閉位置に設置される。
【００３２】
これにより、コンセントの不使用時において、コンセントの挿入口近辺、すなわち、電気接続部がカバー１３によって全て覆われ、上方からの雨水および横方向からの雨水や塵埃等の侵入を防ぐことが可能となる。特に、カバー１３が支持部１１ａ５の前面側に当接して停止した状態で、操作摘み１３ｄが略鉛直方向に位置して停止するため（図６（ａ））、操作摘み１３ｄが樋の作用および水切りの作用をなし、カバー１３と支持部１１ａ５が当接した部分からの水や塵埃等の浸入を確実に防ぐことが可能になる。さらに、カバー１３が支持部１１ａ５の前面側に当接して停止した状態で、カバー１３は、角度θ１、本実施形態では約２０°の角度を有した状態で停止するため、カバー１３には回動方向、すなわち、閉位置方向に自重がかかり、カバー１３と支持部１１ａ５の当接部分が略完全に密閉される。これにより、より確実に水や塵埃等の浸入を確実に防ぐことが可能になる。
【００３３】
なお、本実施形態によれば、上記のようにカバー１３によって確実に水や塵埃等の浸入を確実に防ぐことが可能になるので、カバー１３の停止角度θ１を有することなく、例えば、角度θ１を０°、すなわち、カバー１３を鉛直線に沿った位置で停止させ、操作摘み１３ｄも鉛直方向に位置させるように構成してもよい。
【００３４】
以上、本実施例において、カバー１３は、自重によって閉位置に設置されるように構成したが、バネ部材により開位置で閉位置方向に付勢された状態にあるように構成してもよい。すなわち、図７に示すように、カバー１３の両側面１３ａと側面板１１ｃの内面、本実施形態においては、軸部１１ｃ１との間に、リングに形成したバネ部材２０の両端部を懸架して構成する。これにより、カバー１３は開位置で閉位置方向に付勢された状態、換言すれば、閉位置、すなわち、カバー１３が支持部１１ａ５の前面側に当接して停止した状態で、バネ部材２０の弾性力によってカバー１３が支持部１１ａ５に押え付けられ、より一層確実に水や塵埃等の浸入を確実に防ぐことが可能になる。
【００３５】
同時に、カバー１３がバネ部材２０によって、何ら操作をせず自動的に確実に閉位置に向かってスライドさせることが可能になる。また、プラグを差し込んだ使用時においても、カバー１３の操作摘み１３ｄを離すことによって、カバー１３がバネ部材２０によって、何ら操作をせずに自動的に確実に閉位置に向かってスライドし、差し込まれたプラグＰ上面に当接して停止させることができる。これらバネ部材２０の作用によって、例えば、台風などの風雨の強いときにおいても、不用意なカバー１３の開放、飛散等を防止することが可能になる。
【００３６】
なお、バネ部材２０は、カバー１３の両側面に設けることが好ましいが、左右いずれか一方に設けるものであってもよい。さらにリングをなすスプリングに限らず、例えば、コイルスプリングや板バネ等であってもよい。
【００３７】
また、操作摘み１３ｄの鉛直方向に対する角度、幅寸法、カバー１３への取り付け位置、形状等は、水切りおよび開閉時の摘みの機能を損なわない範囲で変形可能である。
【００３８】
また、カバー１３は、本体１１の内部、すなわち、隙間ａ、ｂ、ｃ内にスライド可能に収納されるように構成したが、本体１１の前面および両側面における外面側を覆うようにして、スライドが可能になるように設けてもよい。また、カバー１３は、軸部を中心にして所定の角度回動させることにより、本体１１に対して開閉がなされるように構成したが、カバー１３を本体１１に対して、シャッターのように鉛直方向にスライドさせることによって開閉がなされるようにしてもよい。さらに、カバー１３は本体に対して着脱することができるように構成したものであってもよい。また、カバー１３は、本体下面に位置する露出部分全体を略覆うようにカバーすることが、安全性および外観意匠的にも好ましいが、少なくとも充電部となる挿入口近辺を覆っていればよい。
【００３９】
また、本実施形態のコンセントは、屋外に設置されるカバー付コンセントに適用されることが好ましいが、屋内に設置されるコンセントでもよく、また、露出形でも埋込形でも、さらに、１口用でも２口用、３口用でもよく、その口数に限定されない。さらに、アース付のコンセント等であってもよく、特定のコンセントには限定されない。
【００４０】
なお、変形例を示す図７には、図１〜図６と同一部分に同一符号を付し、詳細な説明は省略した。以上、本発明の好適な実施形態を説明したが、本発明は上述の実施形態に限定されることなく、本発明の要旨を逸脱しない範囲内において、種々の設計変更を行うことができる。
【符号の説明】
【００４１】
１０  コンセント
１１  本体
１２  コンセントユニット
１２ａ  挿入口
１２ｂ  刃受け金具
１３  カバー
１３ｄ  操作摘み
２０  バネ部材
Ｐ    プラグ
Ｐ１  栓刃
【図１】
2012084373.tif 000003
【図２】
2012084373.tif 000004
【図３】
2012084373.tif 000005
【図４】
2012084373.tif 000006
【図５】
2012084373.tif 000007
【図６】
2012084373.tif 000008
【図７】
2012084373.tif 000009